(57)【特許請求の範囲】
【請求項１】
魚釣り等に用いられる収納容器であって、
箱形の容器本体と、
前記容器本体に開閉自在に取り付けられた蓋体と、
前記容器本体の対向する一対の側面にそれぞれ取り付けられ、前記蓋体の上方で把持可能な把持部と、
前記容器本体の前記把持部が取り付けられた側面とは別の側面に設けられたハンドルと
を備え、
前記ハンドルは、前記容器本体側面の底部側付近と高さ方向中央付近とにおいて前記容器本体に取り付けられている、
収納容器。
【請求項２】
前記ハンドルは帯状部材であって、前記容器本体側面に縫合されている、
請求項１に記載の収納容器。
【請求項３】
前記ハンドルは合成樹脂からなり、前記容器本体と一体的に形成されている、
請求項１に記載の収納容器。
【発明の詳細な説明】
【０００１】
【発明の属する技術分野】
本発明は魚釣り等に用いる収納容器に関する。
【０００２】
【従来の技術】
従来の収納容器は、プラスチック製の箱形の容器本体と、容器本体に蝶番等で開閉自在に取り付けられた蓋体とを有している。また、容器本体の上部には運搬時にユーザが把持するための把持部が設けられている。収納容器は、その用途に合わせて様々な大きさのものがあり、釣針入れや釣り餌入れ等の様々な用途に用いられる。
【０００３】
例えば、保冷用収納容器であれば、容器本体は内部に断熱材が充填されており、容器本体内の保冷性を高めている。そして、ドライブや釣りなどのレジャーの際に容器本体内に保冷したいジュースや魚が保冷剤と共に収納される。
【０００４】
【発明が解決しようとする課題】
従来の収納容器の把持部は、容器本体の上部に形成されておりユーザがこれを収納容器の上部方向から手で把持してぶら下げながら収納容器を運搬する。しかし、収納容器の側面方向から収納容器を引き出したい場合がある。例えば、車のトランクや後部シート等に収納容器を配置した場合に、収納容器を側面方向に移動させて取り出す場合などである。このような場合、従来の容器本体の上部方向から把持するための把持部では取り扱いにくい。
【０００５】
本発明の課題は、側面方向からの取扱も容易な収納容器を提供することにある。
【０００６】
【課題を解決するための手段】
発明１にかかる収納容器は、魚釣り等に用いられる収納容器であって、箱形の容器本体と、容器本体に開閉自在に取り付けられた蓋体と、容器本体の対向する一対の側面にそれぞれ取り付けられ蓋体の上方で把持可能な把持部と、容器本体の把持部が取り付けられた側面とは別の側面に設けられたハンドルとを備えている。また、ハンドルは、容器本体側面の底部側付近と高さ方向中央付近とにおいて容器本体に取り付けられている。
【０００７】
例えば、車のトランクや後部シート等に収納容器を配置した際に、収納容器を側面方向に移動させて取り出す場合、容器本体の側面に設けられたハンドルを把持して側面方向に引き出すことができる。
【０００８】
発明２にかかる収納容器は、発明１の容器であって、ハンドルは帯状部材であって容器本体側面に縫合されている。
【０００９】
この場合には、容器本体側面のハンドルは屈曲自在な帯状部材であり、容器本体側面から大きく突出することなく、容器本体全体としてコンパクトな状態である。そして、必要な際にハンドルを把持して側面方向に容器に引き出すことができる。
【００１０】
発明３にかかる収納容器は、発明１の容器であって、ハンドルは合成樹脂からなり、容器本体と一体的に形成されている。
【００１１】
この場合には、ハンドルは容器本体と一体的に形成されており、耐久性に優れると共に製造も容易である。
【００１２】
【発明の実施の形態】
［第１実施形態］
以下、本発明の第１実施形態について図面を参照しつつ説明する。
【００１３】
本発明の第１実施形態を採用した収納容器は、図１〜４に示すように、箱形の容器本体１と、容器本体１の開口を覆うように配置される内蓋２と、蝶番１０によって開閉可能なように容器本体１の上部設けられ内蓋２（図４参照）を内包する蓋体３と、蓋体３を容器本体１に固定する固定部４と、容器本体１に取り付けられ収納容器の運搬時に把持する把持部５とを有している。
【００１４】
容器本体１は、図４に詳しく示すように、ポリエチレン，ポリプロピレン，ABS樹脂等の一対の合成樹脂材１１の間にポリウレタン等の発泡樹脂材１２が挟み込まれて形成されている。この発泡樹脂材１２が容器本体１の断熱性を向上させている。また、合成樹脂材１１は外観を布状に似せるためエンボス加工が施されてており、若しくは裏面に織物，不織布が貼り付けられている。容器本体１の上端縁部１ａには内蓋２を係止可能なファスナーレール１３が背面側を除いて形成されている。また、図１及び図２に示すように、容器本体１の正面１ａには釣りに用いる小物等を収納可能なポケット部１４が設けられている。ポケット部１４の上縁のファスナ１４ａを開閉することによってポケット部１４内に小物を収納可能である。容器本体１の側面底部側にはシート材１５がポケット部１４も覆うように縫合または接着されている。このシート材１５は不織布等の布状部材やPVC等から成る。
【００１５】
また、図２に示すように、容器本体１の両側面１ｂの中央付近にはそれぞれレザー製のハンドル１６が連結されている。ハンドル１６はナイロン繊維等からなる帯状部材であって、容器本体側面１ｂの底部側部分と高さ方向中央付近との２カ所で容器本体１に縫合されており、この縫合部分間においてユーザがハンドル１６を把持可能になっている。また、これらの縫合部分間においてその幅は他の部分より小さくなっておりユーザが容易にこの部分を把持できるように工夫されている。さらに、ハンドル１６の上端にはフック１６ａが連結されており、肩掛けベルト（図示せず）が脱着自在に連結される。
【００１６】
内蓋２は、図４に示すように、容器本体１と同様に一対の防水性シート２１の間にポリスチレン等の合成樹脂板２２が挟み込まれて形成されている。容器本体１の背面側において縫合等によって固定されており、容器本体１上面開口を開閉自在に覆っている。容器本体１に縫合された部分以外の周縁部にはファスナー２３が配置されており、容器本体１のファスナーレール１３と噛合する。
【００１７】
蓋体３は、図５に示すように、ポリプロピレン，ポリエチレン，ABS樹脂等の熱可塑性樹脂から形成される板状部材である。そして、矩形板状の蓋本体３１と蓋本体３１の周縁が略直角に折り曲げられて蓋本体３１と一体的に形成されたカバー部３２とを有している。後に詳しく説明するように、蓋本体３１とカバー部とは１つの熱可塑性樹脂板から加工されている。この蓋体３は、図３に示すように、蝶番１０によって容器本体１の背面側において開閉自在に連結されており、倒伏時において容器本体１の上端周縁をカバー部３２が覆うように容器本体１上面に配置されている。そして、倒伏時において容器本体１の正面１ａ上端側に配置される固定部４によって固定される。なお、図２に示すように、カバー部３２の深さは容器本体１の正面側ほど浅く背面側ほど順次深くなるように傾斜して形成されている。さらに、蓋体３の蓋本体３１上には長辺方向に伸びる凸状部３１ａが形成されている。凸状部３１ａは、蓋本体３１の内面側において外面側に凹入し外面側において凸出している。
【００１８】
また、蓋本体３１の角部付近には円形に凹入したドリンクホルダー３３が形成されている。図６に詳しく示すように、ドリンクホルダー３３は、缶ジュース等を配置可能な経を有し蓋本体３１の表面より窪んで円形に形成されるドリンク台３３ａと、ドリンク台３３ａよりさらにもう一段窪んで形成された排水部３３ｂとを有している。排水部３３ｂは蓋本体３１の角部へ連続して面一に形成され蓋本体３１の外部へ至る排水路３３ｃが併設されており、ドリンクホルダー３３内に溜まった水は排水部３３ｂ及び排水路３３ｃによって外部に排出される。
【００１９】
この蓋体３は、以下のようにして製造される。
【００２０】
まず、図７（ａ）に示すように、所定の熱可塑性樹脂からなる板状部材を用意する。そして、蓋本体３１の凸状部３１ａやカバー部３２，ドリンクホルダー３３等が型取られた型によって熱圧加工を施す。この熱圧加工によって熱可塑性樹脂板は成型され、図７（ｂ）に示すように、蓋本体３１とカバー部３２とが一体的に成型される。なお、必要に応じて、図７（ｃ）に示すように、成型した蓋体３にレザーシートや不織布，織物布またはこれらにPVCをコーティングした布材を貼り付けてもよい。布材を貼り付けるのは表面のみでも表裏両面に貼り付けてもよい。
【００２１】
このように構成された収納容器では、車内に収納容器を配置した際などにおいて側面方向より収納容器を引っぱり出す際に、ハンドル１６を把持して側面方向より引き出す。このハンドル１６は屈曲自在な帯状部材であり、容器本体の側面１ｂから大きく側面方向に突出することなく、容器本体全体としてコンパクトな状態を維持している。
【００２２】
［参考例］
以下、本発明の参考例について、図面を参照しつつ説明する。
【００２３】
図８に示すように、本発明の参考例を採用した収納容器の容器本体１の両側面１ｂの中央付近にはそれぞれレザー製のハンドル８６が連結されている。ハンドル８６はナイロン繊維等からなる帯状部材である。容器本体側面１ｂの高さ方向中央付近から底面方向に垂れて折り返され、再び容器本体側面１ｂの高さ方向中央付近に至り容器本体側面１ｂに縫合されて固定されている。この容器本体側面１ｂに垂れた部分にユーザが手を入れて把持可能になっている。
【００２４】
なお、その他の構成は第１実施形態と同様である。
【００２５】
このように構成された収納容器では、第１実施形態と同様の作用効果を奏する。
【００２６】
［第２実施形態］
以下、本発明の第２実施形態について図面を参照しつつ説明する。
【００２７】
図９に示すように、本発明の第２実施形態を採用した収納容器の容器本体１の両側面１ｂの中央付近にはそれぞれ合成樹脂製のハンドル９６が容器本体１と一体的に連結されている。ハンドル９６は、容器本体側面１ｂの高さ方向中央付近及び底面付近においてそれぞれ容器本体１に連結される。この連結部分の間は容器本体側面１ｂの表面から側面方向に間隔を隔てており、連結部分間をブリッジ状につないでいる。このブリッジ状部分をユーザが把持することになる。また、これらのブリッジ状部分においてその幅は他の部分より小さくなっておりユーザが容易にこの部分を把持できるように工夫されている。
【００２８】
その他の構成は第１実施形態と同様である。
【００２９】
このように構成された収納容器では、車内に収納容器を配置した際などにおいて側面方向より収納容器を引っぱり出す際に、ハンドル９６を把持して側面方向より引き出す。このハンドル９６は容器本体１と一体的に形成された合成樹脂部材であり耐久性に優れている。
【００３０】
［他の実施形態］
（ａ）ハンドルは容器本体側面の水平方向に伸びて配置されてもよい。
（ｂ）ハンドルは容器本体側面に脱着自在に連結されていてもよい。
（ｃ）比較的長い帯状のハンドルの、一端を容器本体の一側面の底部付近に脱着自在に連結し、他端を用記本体の他側面の底部付近に着脱自在に連結してもよい。この場合、ハンドルを肩掛用ベルトと兼用できる。
【００３１】
【発明の効果】
本発明にかかる収納容器は容器に側面方向に引き出すことができ、車内に収納容器を配置した際などにおいて使いやすい。
【図面の簡単な説明】
【図１】  本発明の第１実施形態を採用した収納容器の正面図。
【図２】  本発明の第１実施形態を採用した収納容器の側面図。
【図３】  本発明の第１実施形態を採用した収納容器の上面図。
【図４】  本発明の第１実施形態を採用した収納容器の部分断面図。
【図５】  本発明の第１実施形態を採用した収納容器の蓋部の断面図。
【図６】  図５の蓋部の角部付近の拡大図。
【図７】  図５の蓋部の製造工程を示した図。
【図８】  本発明の参考例を採用した収納容器の側面図。
【図９】  本発明の第２実施形態を採用した収納容器の側面図。
【符号の説明】
１  容器本体
２  内蓋
３，４０  蓋部
４  固定部
５  把持部
１６，８６，９６  ハンドル
３１  蓋本体
３１ａ  凸状部
３２  カバー部
３３  ドリンクホルダー
【図１】
0004141059.tif 000002
【図２】
0004141059.tif 000003
【図３】
0004141059.tif 000004
【図４】
0004141059.tif 000005
【図５】
0004141059.tif 000006
【図６】
0004141059.tif 000007
【図７】
0004141059.tif 000008
【図８】
0004141059.tif 000009
【図９】
0004141059.tif 000010